(57)【要約】【課題】搬送装置により搬送中の各条分の穀稈が合流する合流部近傍の構造を簡素化して、この合流部近傍での穀稈の詰まりを抑制することができるコンバインの刈取部を提供することを目的とする。【解決手段】右側２条分の穀稈１７１・１７２を掻き込む第一掻込装置１１０と、左右中央側３条分のうち片側１条分の穀稈１７３を掻き込む第二掻込装置１２０と、左右中央側３条分のうち残り２条分の穀稈１７４・１７５を掻き込む第三掻込装置１３０と、左側２条分の穀稈１７６・１７７を掻き込む第四掻込装置１４０と、前記第二掻込装置１２０で掻き込まれた穀稈１７３の穂先を搬送する第二上部搬送装置３２０と、を備え、前記第二掻込装置１２０の単一の掻込輪１２１と、前記第三掻込装置１３０の掻込輪のうち単一の掻込輪と隣り合う掻込輪１３１とを噛合し、動力を第二上部搬送装置３２０に前記第三掻込装置１３０から前記第二掻込装置１２０を介して伝達する。【選択図】図７
2011120491.tif 000002
【特許請求の範囲】
【請求項１】
引起装置と、掻込装置と、切断装置と、搬送装置とを備えるコンバインの刈取部において、
前記掻込装置は、
左右一対の掻込輪及び掻込ベルトで右側２条分の穀稈を掻き込む第一掻込装置と、
単一の掻込輪及び掻込ベルトで左右中央側３条分のうち片側１条分の穀稈を掻き込む第二掻込装置と、
左右一対の掻込輪及び掻込ベルトで左右中央側３条分のうち残り２条分の穀稈を掻き込む第三掻込装置と、
左右一対の掻込輪及び掻込ベルトで左側２条分の穀稈を掻き込む第四掻込装置と、を備え、
前記第二掻込装置の単一の掻込輪と、前記第三掻込装置の掻込輪のうち前記単一の掻込輪と隣り合う掻込輪とを噛合し、
前記搬送装置は、
前記第一掻込装置で掻き込まれた穀稈の穂先を搬送する第一上部搬送装置と、
前記第二掻込装置で掻き込まれた穀稈の穂先を搬送する第二上部搬送装置と、
前記第三掻込装置で掻き込まれた穀稈の穂先を搬送する第三上部搬送装置と、
前記第四掻込装置で掻き込まれた穀稈の穂先を搬送する第四上部搬送装置と、を備え、
動力を前記第二上部搬送装置に前記第三掻込装置から前記第二掻込装置を介して伝達することを特徴とするコンバインの刈取部。
【請求項２】
前記掻込装置は、前記第二掻込装置の単一の掻込輪と、この単一の掻込輪と噛合する前記第三掻込装置の掻込輪との厚みを、他の前記掻込輪の厚みよりも厚く設定する請求項１に記載のコンバインの刈取部。
【請求項３】
前記掻込装置は、前記第二掻込装置の単一の掻込輪及び前記第三掻込装置の左右一対の掻込輪を、前記第一掻込装置の左右一対の掻込輪及び前記第四掻込装置の左右一対の掻込輪よりも高い位置に配置することを特徴とする請求項１または請求項２に記載のコンバインの刈取部。
【発明の詳細な説明】
【技術分野】
【０００１】
本発明は、コンバインの刈取部に関し、詳細には、刈取部の穂先搬送装置への動力伝達構造に関する。
【背景技術】
【０００２】
従来、７条刈りのコンバインの刈取部に関する技術は公知となっている。このような７条刈りのコンバインの刈取部は、例えば、特許文献１に示すように、２条分の穀稈を掻き込む掻込装置を左右方向に三つ並設し、１条分の穀稈を掻き込む掻込装置を左右中央側掻込装置と右側掻込装置との間に配設している。また、この刈取部は、２条分の穀稈の株元側を搬送する下部搬送装置（根元搬送チェン）を左右方向に三つ並設し、１条分の穀稈の株元側を搬送する下部搬送装置を左右中央側の下部搬送装置と右側の下部搬送装置との間に配設している。また、この刈取部は、２条分の穀稈の穂先側を搬送する上部搬送装置（穂先搬送ラグ）を左右方向に三つ並設し、１条分の穀稈の穂先側を搬送する上部搬送装置を左右中央側の上部搬送装置と右側の上部搬送装置との間に配設している。
【０００３】
そして、刈取部は、コンバインに搭載されたエンジンの動力が１条分の穀稈の穂先側を搬送する上部搬送装置には伝動軸等を含む伝動装置を介して伝達されるように構成されている。
【先行技術文献】
【特許文献】
【０００４】
【特許文献１】特開２００９−１５３４３６号公報
【発明の概要】
【発明が解決しようとする課題】
【０００５】
しかしながら、特許文献１に示すようなコンバインの刈取部においては、前記伝動装置は、１条分の穀稈を搬送する上部搬送装置及び下部搬送装置の後方に設けられるため、各上部搬送装置及び各下部搬送装置の搬送終端部近傍、すなわち、搬送装置により搬送中の各条分の穀稈が合流する合流部近傍における構造が複雑となった。これにより、前記伝動装置を含む周辺部品に搬送中の穀稈が引っ掛かり、この合流部で穀稈が詰まり易いという問題があった。
【０００６】
本発明は、上記の如き課題を鑑みてなされたものであり、搬送装置により搬送中の穀稈が合流する合流部近傍の構造を簡素化して、この合流部近傍での穀稈の詰まりを抑制するコンバインの刈取部を提供することを目的とする。
【課題を解決するための手段】
【０００７】
本発明の解決しようとする課題は以上の如くであり、次にこの課題を解決するための手段を説明する。
【０００８】
請求項１においては、引起装置と、掻込装置と、切断装置と、搬送装置とを備えるコンバインの刈取部において、前記掻込装置は、左右一対の掻込輪及び掻込ベルトで右側２条分の穀稈を掻き込む第一掻込装置と、単一の掻込輪及び掻込ベルトで左右中央側３条分のうち片側１条分の穀稈を掻き込む第二掻込装置と、左右一対の掻込輪及び掻込ベルトで左右中央側３条分のうち残り２条分の穀稈を掻き込む第三掻込装置と、左右一対の掻込輪及び掻込ベルトで左側２条分の穀稈を掻き込む第四掻込装置と、を備え、前記第二掻込装置の単一の掻込輪と、前記第三掻込装置の掻込輪のうち前記単一の掻込輪と隣り合う掻込輪とを噛合し、前記搬送装置は、前記第一掻込装置で掻き込まれた穀稈の穂先を搬送する第一上部搬送装置と、前記第二掻込装置で掻き込まれた穀稈の穂先を搬送する第二上部搬送装置と、前記第三掻込装置で掻き込まれた穀稈の穂先を搬送する第三上部搬送装置と、前記第四掻込装置で掻き込まれた穀稈の穂先を搬送する第四上部搬送装置と、を備え、動力を前記第二上部搬送装置に前記第三掻込装置から前記第二掻込装置を介して伝達するものである。
【０００９】
請求項２においては、前記掻込装置は、前記第二掻込装置の単一の掻込輪と、この単一の掻込輪と噛合する前記第三掻込装置の掻込輪との厚みを、他の前記掻込輪の厚みよりも厚く設定するものである。
【００１０】
請求項３においては、前記掻込装置は、前記第二掻込装置の単一の掻込輪及び前記第三掻込装置の左右一対の掻込輪を、前記第一掻込装置の左右一対の掻込輪及び前記第四掻込装置の左右一対の掻込輪よりも高い位置に配置するものである。
【発明の効果】
【００１１】
本発明の効果として、以下に示すような効果を奏する。
【００１２】
請求項１においては、第二上部搬送装置への動力伝達構造が第二掻込装置の上方に設けられることとなる。したがって、搬送装置により搬送中の各条分の穀稈が合流する合流部近傍の構造を簡素化して、この合流部近傍での穀稈の詰まりを抑制することができる。
【００１３】
請求項２においては、第二掻込装置の単一の掻込輪と、第三掻込装置の掻込輪との噛合が外れにくくなる。したがって、動力を第三掻込装置の掻込輪から第二掻込装置の単一の掻込輪へ確実に伝達することができ、ひいては第二上部搬送装置に第三掻込装置から第二掻込装置を介して確実に伝達することができる。
【００１４】
請求項３においては、第二掻込装置の単一の掻込輪及び前記第三掻込装置の左右一対の掻込輪と、第一掻込装置の左右一対の掻込輪との干渉を避けて、互いの間隔を狭めることが可能となる。また、第二掻込装置の単一の掻込輪及び前記第三掻込装置の左右一対の掻込輪と、第四掻込装置の左右一対の掻込輪との干渉を避けて、互いの間隔を狭めることができる。したがって、刈取部をコンパクトに構成できる。
【図面の簡単な説明】
【００１５】
【図１】コンバインの全体側面図。
【図２】刈取部の側面図。
【図３】刈取部の下部搬送装置を示す平面図。
【図４】刈取部の上部搬送装置を示す平面図。
【図５】刈取部の動力伝達構造を示す図。
【図６】刈取部の一部断面側面図。
【図７】第二掻込装置及び第三掻込装置の近傍を示す平面図。
【図８】第二掻込装置の掻込輪及び第三掻込装置の掻込輪を示す図。
【図９】第二掻込装置及び第二上部搬送装置を示す一部断面平面図。
【図１０】第二掻込装置及び第二上部搬送装置を示す斜視図。
【発明を実施するための形態】
【００１６】
以下、本発明の実施の形態について、詳細に説明する。
【００１７】
まず、本発明の一実施形態に係る７条刈りコンバイン１の全体構成について説明する。
【００１８】
図１に示すように、コンバイン１においては、走行部２が左右一対の走行クローラ３によって支持されている。圃場の穀稈を刈り取りながら取り込む刈取部４が、走行部２の前部に昇降調節可能に装着されている。刈取部４により刈り取られた穀稈を脱穀する脱穀部５が、走行部２の左上部に配設されている。脱穀部５により脱穀された処理物を選別する選別部６が、走行部２の左下部に配設されている。選別部６により選別された穀粒を貯留する穀粒タンク７が、走行部２の右部に配設されている。穀粒タンク７に貯溜された穀粒を外部へ排出する排出オーガ８が、走行部２の右後部に配設されている。そして、前記各部を操作する運転部９が、走行部２の右前部に配設されている。
【００１９】
次に、刈取部４の構成について詳細に説明する。
【００２０】
図２に示すように、刈取部４は、刈取フレーム１０と、分草具３０と、引起装置４０と、掻込装置１００と、切断装置５０と、搬送装置６０とを備える。
【００２１】
刈取フレーム１０は、分草具３０や前記各装置を支持するものである。刈取フレーム１０は、刈取入力パイプ１１と、縦伝動パイプ１２と、横伝動パイプ１３と、複数の分草フレーム１４・１４・・・と、駆動パイプ１５と、引起縦伝動パイプ１６と、縦連結フレームと、引起横伝動パイプ１７と、複数の引起駆動パイプ１８と、連結フレーム１９と、中搬送伝動パイプ２０とから構成される。
【００２２】
刈取入力パイプ１１は、その軸線方向を左右方向として、走行部２の左前部に回動可能に設けられる。縦伝動パイプ１２は、その軸線方向を刈取入力パイプ１１の軸線方向に対して直交方向として、刈取入力パイプ１１の右端部から前斜下方へ延出される。横伝動パイプ１３は、その軸線方向を左右方向として、縦伝動パイプ１２の延出端部から左右方向へ延出される。
【００２３】
各分草フレーム１４は、その軸線方向を概ね前後方向として、横伝動パイプ１３から前方へ延出される。複数の分草フレーム１４・１４・・・は、左右方向に適宜の間隔ごとに平行に並べられる。駆動パイプ１５は、その軸線方向を左右方向として、左右最外側に位置する分草フレーム１４・１４の間に横架される。駆動パイプ１５は、横伝動パイプ１３の前斜下方に位置して、当該横伝動パイプ１３と平行に並べられる。
【００２４】
引起縦伝動パイプ１６は、その軸線方向を横伝動パイプ１３の軸線方向に対して直交方向として、横伝動パイプ１３の左端部から前斜上方へ延出される。前記縦連結フレームは、その軸線方向を横伝動パイプ１３の軸線方向に対して直交方向として、横伝動パイプ１３の右端部から前斜上方へ延出される。
【００２５】
引起横伝動パイプ１７は、その軸線方向を左右方向として、引起縦伝動パイプ１６の延出端部と縦連結フレームの延出端部との間に横架される。各引起駆動パイプ１８は、その軸線方向を概ね上下方向として、引起横伝動パイプ１７から前方へ延出される。複数の引起駆動パイプ１８・１８・・・は、左右方向に所定間隔ごとに平行に並べられる。
【００２６】
連結フレーム１９は、その軸線方向を概ね前後方向として、引起横伝動パイプ１７の左右中途部から後方へ延出される。連結フレーム１９は、その延出端部で縦伝動パイプ１２の刈取入力パイプ１１側に連結される。中搬送伝動パイプ２０は、縦伝動パイプ１２の横伝動パイプ１３側から前斜上方へ延出される。
【００２７】
分草具３０は、圃場の穀稈を一条ごとに分離（分草）するものである。分草具３０は、８つの分草板３１・３１・・・を具備する（図３参照）。各分草板３１は、それぞれ先端が細くなるように形成される。各分草板３１は、その先端が前方を向くように、各分草フレーム１４の前端部に取り付けられる。
【００２８】
引起装置４０は、分草後の穀稈を引き起こすものである。引起装置４０は、タイン付チェン４２を回転駆動可能に支持する引起ケース４１を７つ具備する。複数の引起ケース４１は、それぞれ分草具３０の後方に前低後高の傾斜状に配置されて、左右方向に適宜の間隔ごとに並べられる。各引起ケース４１は、各分草フレーム１４と各引起駆動パイプ１８との間に位置して、これらに支持される。
【００２９】
掻込装置１００は、引起装置４０により引き起こされた穀稈の株元を掻き込むものである。掻込装置１００は、引起装置４０の後方に前低後高の傾斜状に配置される。図３に示すように、掻込装置１００は、第一掻込装置１１０と、第二掻込装置１２０と、第三掻込装置１３０と、第四掻込装置１４０とを備える。これらの掻込装置１１０〜１４０は、それぞれ引起装置４０の後方に前低後高の傾斜状に配置されて、左右方向に適宜の間隔ごとに並べられる。
【００３０】
第一掻込装置１１０は、７条分の穀稈のうち右側２条分の穀稈（右側から数えて１条目と２条目の穀稈１７１・１７２）の株元を掻き込むものである。第一掻込装置１１０は、左右一対の星形状の掻込輪１１１・１１２と、左右一対の突起付きの掻込ベルト１１３・１１４とを備える。第一掻込装置１１０は、複数の掻込装置１１０〜１４０のうち最も右側に配置される。
【００３１】
掻込輪１１１は、前低後高の傾斜状に配置され、回転軸１６１回りに回転可能に設けられる。掻込輪１１２は、前低後高の傾斜状に配置され、回転軸１６２回りに回転可能に設けられる。掻込輪１１１と掻込輪１１２とは、左右方向に隣り合うように並べられて、互いに噛合される。
【００３２】
大径プーリ１１５が、掻込輪１１１の上方に配置されて、掻込輪１１１とともに回転軸１６１に固定される。小径プーリ１１６が、大径プーリ１１５の右前方に配置されて、刈取フレーム１０に対して回転自在に設けられる。そして、掻込ベルト１１３が、大径プーリ１１５と小径プーリ１１６とに巻き掛けられる。
【００３３】
大径プーリ１１７が、掻込輪１１２の上方に配置されて、掻込輪１１２とともに回転軸１６２に固定される。小径プーリ１１８が、大径プーリ１１７の左前方に配置されて、刈取フレーム１０に対して回転自在に設けられる。そして、掻込ベルト１１４が、大径プーリ１１７と小径プーリ１１８とに巻き掛けられる。
【００３４】
こうして、掻込ベルト１１３と掻込ベルト１１４とは、左右方向に隣り合うように並べられて、互いに対向するベルト面間、即ち掻込ベルト１１３の左外側面と掻込ベルト１１４の右外側面との間の距離が前方から後方へ向かうに従って徐々に小さくなるように、即ち正面視略ハの字状になるように、それぞれ概ね前後方向に張設される。
【００３５】
第二掻込装置１２０は、７条分の穀稈のうち左右中央側３条分の片側、本実施形態においては右側１条分の穀稈（最右側から数えて３条目の穀稈１７３）の株元を掻き込むものである。第二掻込装置１２０は、単一で星形状の掻込輪１２１と、単一で突起付の掻込ベルト１２２とを備える。第二掻込装置１２０は、複数の掻込装置１１０〜１４０のうち左右中央側で第一掻込装置１１０の左隣に配置される。
【００３６】
掻込輪１２１は、前低後高の傾斜状に配置され、回転軸１６３回りに回転可能に設けられる。掻込輪１２１は、第一掻込装置１１０の左側掻込輪１１２の左側方に位置し、当該左側掻込輪１１２とは噛合されない。
【００３７】
大径プーリ１２３が、掻込輪１２１の上方に配置されて、掻込輪１２１とともに回転軸１６３に固定される。小径プーリ１２４が、大径プーリ１２３の左前方に配置されて、刈取フレーム１０に対して回転自在に設けられる。そして、掻込ベルト１２２が大径プーリ１２３と小径プーリ１２４とに巻き掛けられる。
【００３８】
こうして、掻込ベルト１２２は概ね前後方向に張設される。また、不図示の案内杆が、掻込ベルト１２２と第一掻込装置１１０の掻込ベルト１１４との間に設けられて、掻込ベルト１２２の右外側面と所定間隔を隔てて対向するように配置される。
【００３９】
第三掻込装置１３０は、７条分の穀稈のうち左右中央側３条分の残り２条、本実施形態においては中央１条分と左側１条分の穀稈（最右側から数えて４条目と５条目の穀稈１７４・１７５）の株元を掻き込むものである。第三掻込装置１３０は、左右一対で星形状の掻込輪１３１・１３２と、左右一対で突起付の掻込ベルト１３３・１３４とを備える。第三掻込装置１３０は、複数の掻込装置１１０〜１４０のうち左右中央側で第二掻込装置１２０の左隣に配置される。
【００４０】
掻込輪１３１は、前低後高の傾斜状に配置され、回転軸１６４回りに回転可能に設けられる。掻込輪１３２は、前低後高の傾斜状に配置され、回転軸１６５回りに回転可能に設けられる。掻込輪１３１と掻込輪１３２とは、左右方向に隣り合うように並べられて、互いに噛合される。
【００４１】
掻込輪１３１は、第二掻込装置１２０の掻込輪１２１の左側方に位置し、当該掻込輪１２１と左右方向に隣り合うように並べられる。つまり、掻込輪１３１は、左側方の掻込輪１３２と右側方の掻込輪１２１とに挟まれるように並べられる。そして、掻込輪１３１が前述のように掻込輪１３２と噛合されるとともに、掻込輪１２１とも噛合される。
【００４２】
大径プーリ１３５が、掻込輪１３１の上方に配置されて、掻込輪１３１とともに回転軸１６４に固定される。小径プーリ１３６が、大径プーリ１３５の右前方に配置されて、刈取フレーム１０に対して回転自在に設けられる。そして、掻込ベルト１３３が、大径プーリ１３５と小径プーリ１３６とに巻き掛けられる。
【００４３】
大径プーリ１３７が、掻込輪１３２の上方に配置されて、掻込輪１３２とともに回転軸１６５に固定される。小径プーリ１３８が、大径プーリ１３７の左前方に配置されて、刈取フレーム１０に対して回転自在に設けられる。そして、掻込ベルト１３４が、大径プーリ１３７と小径プーリ１３８とに巻き掛けられる。
【００４４】
こうして、掻込ベルト１３３と掻込ベルト１３４とは、左右方向に隣り合うように並べられて、互いに対向するベルト面間、即ち掻込ベルト１３３の左外側面と掻込ベルト１３４の右外側面との間の距離が前方から後方へ向かうに従って徐々に小さくなるように、即ち正面視略ハの字状になるように、それぞれ概ね前後方向に張設される。
【００４５】
第四掻込装置１４０は、７条分の穀稈のうち左側２条分の穀稈（右側から数えて６条目と７条目の穀稈１７６・１７７）の株元を掻き込むものである。第四掻込装置１４０は、左右一対で星形状の掻込輪１４１・１４２と、左右一対で突起付の掻込ベルト１４３・１４４とを備える。第四掻込装置１４０は、複数の掻込装置１１０〜１４０のうち最も左側で第三掻込装置１３０の左隣に配置される。
【００４６】
掻込輪１４１は、前低後高の傾斜状に配置され、回転軸１６６回りに回転可能に設けられる。掻込輪１４２は、前低後高の傾斜状に配置され、回転軸１６７回りに回転可能に設けられる。掻込輪１４１と掻込輪１４２とは、左右方向に隣り合うように並べられて、互いに噛合される。
【００４７】
大径プーリ１４５が、掻込輪１４１の上方に配置されて、掻込輪１４１とともに回転軸１６６に固定される。小径プーリ１４６が、大径プーリ１４５の右前方に配置されて、刈取フレーム１０に対して回転自在に設けられる。そして、掻込ベルト１４３が、大径プーリ１４５と小径プーリ１４６とに巻き掛けられる。
【００４８】
大径プーリ１４７が、掻込輪１４２の上方に配置されて、掻込輪１４２とともに回転軸１６７に固定される。小径プーリ１４８が、大径プーリ１４７の左前方に配置されて、刈取フレーム１０に対して回転自在に設けられる。そして、掻込ベルト１４４が、大径プーリ１４７と小径プーリ１４８とに巻き掛けられる。
【００４９】
こうして、掻込ベルト１４３と掻込ベルト１４４とは、左右方向に隣り合うように並べられて、互いに対向するベルト面間、即ち掻込ベルト１４３の左外側面と掻込ベルト１４４の右外側面との間の距離が前方から後方へ向かうに従って徐々に小さくなるように、即ち正面視略ハの字状になるように、それぞれ概ね前後方向に張設される。
【００５０】
また、掻込装置１００においては、図８に示すように、第二掻込装置１２０の掻込輪１２１の厚みと、掻込輪１２１と噛合する第三掻込装置１３０の右側掻込輪１３１の厚みとが、その他の各掻込輪１１１・１１２・１３２・１４１・１４２の厚みよりも厚く設定される。すなわち、掻込輪１２１の回転軸１６３の軸線方向の幅と、掻込輪１３１の回転軸１６４の軸線方向の幅とが、他の掻込輪１１１・１１２・１３２・１４１・１４２の、それぞれに対応する回転軸１６１・１６２・１６５・１６６・１６７の軸線方向の幅よりも大きく設定される。
【００５１】
本実施形態においては、第二掻込装置１２０の掻込輪１２１の厚みと、第三掻込装置１３０の右側掻込輪１３１の厚みとが、ともに等しい厚みＬ１に設定される。一方、その他の各掻込輪１１１・１１２・１３２・１４１・１４２の厚みが、ともに等しい厚みＬ２に設定される。そして、厚みＬ１と厚みＬ２とが、厚みＬ１が厚みＬ２よりも厚いＬ１＞Ｌ２の関係とされる。
【００５２】
また、掻込装置１００においては、図８に示すように、第二掻込装置１２０の掻込輪１２１と、第三掻込装置１３０の左右一対の掻込輪１３１・１３２とは、第一掻込装置１１０の掻込輪１１１・１１２及び第四掻込装置１４０の掻込輪１４１・１４２よりも上下方向において高い位置に配置される。詳しくは、掻込輪１２１及び掻込輪１３１・１３２の下面が、掻込輪１１１・１１２及び掻込輪１４１・１４２の上面よりも上下方向において高い位置に配置される。
【００５３】
本実施形態においては、第二掻込装置１２０の掻込輪１２１の下面高さと、第三掻込装置１３０の右側掻込輪１３１の下面高さが、ともに等しい下面高さＨ１に設定される。第三掻込装置１３０の左側掻込輪１３２の下面高さが、下面高さＨ２に設定される。第一掻込装置１１０の掻込輪１１１・１１２の上面高さと、第四掻込装置１４０の掻込輪１４１・１４２の上面高さが、ともに等しい上面高さＨ３に設定される。そして、下面高さＨ１・Ｈ２と上面高さＨ３とが、下面高さＨ１・Ｈ２が上面高さＨ３よりも高いＨ１・Ｈ２＞Ｈ３の関係とされる。
【００５４】
図２に示すように、切断装置５０は、掻込装置１００の第一掻込装置１１０、第二掻込装置１２０、第三掻込装置１３０及び第四掻込装置１４０によって掻き込まれた７条分の穀稈を刈刃５１によって株元側で切断するものである。切断装置５０は、掻込装置１００の下方に前低後高の傾斜状に配置される。
【００５５】
搬送装置６０は、切断装置５０により切断された穀稈を脱穀部５へ向けて搬送するものである。搬送装置６０は、引起装置４０の後方であって、掻込装置１００及び切断装置５０の上方から後上方にわたって配置される。搬送装置６０は、下部搬送装置２００と、上部搬送装置３００と、縦搬送装置７０と、補助搬送装置８０と、穂先搬送装置９０とを備える。
【００５６】
下部搬送装置２００は、刈り取った穀稈の株元を合流させて縦搬送装置７０まで挟持搬送するものである。図３に示すように、下部搬送装置２００は、第一下部搬送装置２１０と、第二下部搬送装置２２０と、第三下部搬送装置２３０と、第四下部搬送装置２４０とを備える。
【００５７】
第一下部搬送装置２１０は、第一掻込装置１１０で掻き込んだ２条分の穀稈１７１・１７２の株元に、他の下部搬送装置から挟持搬送されてくる穀稈１７３・１７４・１７５・１７６・１７７の株元を合流させて、７条分の穀稈１７１・１７２・１７３・１７４・１７５・１７６・１７７の株元を縦搬送装置７０まで挟持搬送するものである。第一下部搬送装置２１０は、第一掻込装置１１０及び第二掻込装置１２０の後方に前低後高の傾斜状に配置され、第一掻込装置１１０近傍から左斜後方へ向けて延出される。
【００５８】
第一下部搬送装置２１０は、搬送チェン２１１と、回転軸１６１に固設された従動スプロケット２１２と、駆動スプロケット２１３と、この駆動スプロケット２１３の左右に設けられた遊動プーリ２１４・２１５と、駆動スプロケット２１３の右前方に設けられたテンションプーリ２１６とを具備する。搬送チェン２１１は、従動スプロケット２１２、駆動スプロケット２１３、遊動プーリ２１４・２１５及びテンションプーリ２１６に巻き掛けられる。
【００５９】
第二下部搬送装置２２０は、第二掻込装置１２０で掻き込んだ１条分の穀稈１７３の株元を第一下部搬送装置２１０との合流部１８２まで挟持搬送するものである。第二下部搬送装置２２０は、第二掻込装置１２０の後方であって第一下部搬送装置２１０の左側前方に前低後高の傾斜状に配置され、第二掻込装置１２０近傍から第一下部搬送装置２１０の搬送中途部近傍まで後方へ向けて延出される。
【００６０】
第二下部搬送装置２２０は、搬送チェン２２１と、回転軸１６３に固設された駆動スプロケット２２３と、二つの遊動プーリ２２４・２２５と、テンションプーリ２２６とを具備する。搬送チェン２２１は、駆動スプロケット２２３、遊動プーリ２２４・２２５及びテンションプーリ２２６に巻き掛けられる。
【００６１】
第三下部搬送装置２３０は、第三掻込装置１３０で掻き込んだ２条分の穀稈１７４・１７５の株元を第四下部搬送装置２４０との合流部１８１まで挟持搬送するものである。第三下部搬送装置２３０は、第三掻込装置１３０の後方であって第四下部搬送装置２４０の右側前方に前低後高の傾斜状に配置され、第三掻込装置１３０近傍から第四下部搬送装置２４０の搬送中途部近傍まで後方へ向けて延出される。
【００６２】
第三下部搬送装置２３０は、搬送チェン２３１と、回転軸１６４に固設された従動スプロケット２３２と、駆動スプロケット２３３と、この駆動スプロケット２３３の左方に設けられた遊動プーリ２３４と、駆動スプロケット２３３の前方に設けられたテンションプーリ２３５とを具備する。搬送チェン２３１は、従動スプロケット２３２、駆動スプロケット２３３、遊動プーリ２３４及びテンションプーリ２３５に巻き掛けられる。
【００６３】
第四下部搬送装置２４０は、第四掻込装置１４０で掻き込んだ２条分の穀稈１７６・１７７の株元に、第三下部搬送装置２３０挟持搬送されてくる穀稈１７４・１７５の株元を合流させて、４条分の穀稈１７４・１７５・１７６・１７７の株元を第一下部搬送装置２１０との合流部１８３まで挟持搬送するものである。第四下部搬送装置２４０は、第四掻込装置１４０の後方に前低後高の傾斜状に配置され、第三掻込装置１３０近傍から第四下部搬送装置２４０の搬送終端部近傍まで右斜後方へ向けて延出される。
【００６４】
第四下部搬送装置２４０は、搬送チェン２４１と、回転軸１６７に固設された従動スプロケット２４２と、駆動スプロケット２４３と、この駆動スプロケット２４３の右方に設けられた遊動プーリ２４４・２４５と、駆動スプロケット２３３の前方に設けられたテンションプーリ２４６とを具備する。搬送チェン２４１は、従動スプロケット２４２、駆動スプロケット２４３、遊動プーリ２４４・２４５及びテンションプーリ２４６に巻き掛けられる。
【００６５】
上部搬送装置３００は、下部搬送装置２００で挟持搬送している穀稈の穂先を係止搬送するものである。図２に示すように、上部搬送装置３００は、下部搬送装置２００の上方に前低後高の傾斜状に配置され、掻込装置１００の上方付近から後方へ向けて延出される。図４に示すように、上部搬送装置３００は、第一上部搬送装置３１０と、第二上部搬送装置３２０と、第三上部搬送装置３３０と、第四上部搬送装置３４０とを備える。
【００６６】
第一上部搬送装置３１０は、第一下部搬送装置２１０で搬送される２条分の穀稈１７１・１７２の穂先に、第二上部搬送装置３２０から係止搬送される穀稈１７３の穂先を合流させて、３条分の穀稈１７１・１７２・１７３の穂先を係止搬送するものである。第一上部搬送装置３１０は、第一下部搬送装置２１０の上方に配置され、第一掻込装置１１０近傍から左斜後方へ向けて延出される。
【００６７】
第一上部搬送装置３１０は、搬送チェン３１１と、この搬送チェン３１１に所定の間隔で突出・収納可能に取り付けられたタイン３１２と、駆動スプロケット３１３と、テンションプーリ３１４とを備える。搬送チェン３１１は、駆動スプロケット３１３及びテンションプーリ３１４に巻き掛けられる。
【００６８】
第二上部搬送装置３２０は、第二下部搬送装置２２０で搬送される１条分の穀稈１７３の穂先を第一上部搬送装置３１０との合流部１９２まで係止搬送するものである（詳細は後述する）。
【００６９】
第三上部搬送装置３３０は、第三下部搬送装置２３０で搬送される２条分の穀稈１７４・１７５の穂先を第四上部搬送装置３４０との合流部１９１まで係止搬送するものである。第三上部搬送装置３３０は、第三下部搬送装置２３０の上方に配置され、第三掻込装置１３０近傍から左斜後方へ向けて延出される。
【００７０】
第三上部搬送装置３３０は、搬送チェン３３１と、この搬送チェン３３１に所定の間隔で突出・収納可能に取り付けられたタイン３３２と、駆動スプロケット３３３と、テンションプーリ３３４と、遊動プーリ３３５とを備える。搬送チェン３３１は、駆動スプロケット３３３、テンションプーリ３３４及び遊動プーリ３３５に巻き掛けられる。
【００７１】
第四上部搬送装置３４０は、第四下部搬送装置２４０で搬送される２条分の穀稈１７６・１７７の穂先に、第三上部搬送装置３３０から係止搬送されてくる穀稈１７４・１７５の穂先を合流させて、４条分の穀稈１７４・１７５・１７６・１７７の穂先を第一上部搬送装置３１０との合流部１９３まで係止搬送するものである。第四上部搬送装置３４０は、第四下部搬送装置２４０の上方に配置され、第四掻込装置１４０近傍から右斜後方へ向けて延出される。
【００７２】
第四上部搬送装置３４０は、搬送チェン３４１と、この搬送チェン３４１に所定の間隔で突出・収納可能に取り付けられたタイン３４２と、駆動スプロケット３４３と、テンションプーリ３４４と、遊動プーリ３４５・３４６とを備える。搬送チェン３４１は、駆動スプロケット３４３、テンションプーリ３４４及び遊動プーリ３４５・３４６に巻き掛けられる。
【００７３】
縦搬送装置７０は、第一下部搬送装置２１０の搬送終端部から受け継いだ７条分の穀稈の株元を補助搬送装置８０まで挟持搬送するものである。図２に示すように、縦搬送装置７０は、下部搬送装置２００の後方に前低後高の傾斜状に配置され、下部搬送装置２００の搬送終端部付近から左斜後方へ向けて延出される。
【００７４】
補助搬送装置８０は、縦搬送装置７０の搬送終端部から受け継いだ７条分の穀稈の株元を脱穀部５まで挟持搬送するものである。補助搬送装置８０は、縦搬送装置７０の後上方に配置され、縦搬送装置７０の搬送終端部付近から後方へ向けて延出される。
【００７５】
穂先搬送装置９０は、第一下部搬送装置２１０、縦搬送装置７０及び補助搬送装置８０で搬送される穀稈の穂先を係止搬送するものである。穂先搬送装置９０は、第一上部搬送装置３１０の後部下方に配置され、第一上部搬送装置３１０の搬送中途部付近から後方へ向けて延出される（図４参照）。
【００７６】
次に、刈取部４の動力伝達構造について説明する。
【００７７】
刈取フレーム１０、即ちこれを構成する各パイプ等には、各装置に動力を伝達する伝動軸が長手方向に沿って内挿される。具体的には、例えば、図６に示すように、刈取入力パイプ１１には、刈取入力軸４１１が内挿される。縦伝動パイプ１２には、縦伝動軸４１２が内挿される。横伝動パイプ１３には、横伝動軸４１３が内挿される。中搬送伝動パイプ２０には、中搬送伝動軸４２０が内挿される。
【００７８】
刈取入力軸４１１は、走行部２に搭載されたエンジンに連動連結されるとともに、縦伝動軸４１２に連動連結される。縦伝動軸４１２は、横伝動軸４１３、中搬送伝動軸４２０及びその他の伝動軸に適宜に連動連結される。こうして、エンジンから刈取入力軸４１１に伝達された動力が、当該刈取入力軸４１１から縦伝動軸４１２を経て、さらに引起装置４０、掻込装置１００、切断装置５０及び搬送装置６０に伝達可能とされる。
【００７９】
ここで、刈取入力軸４１１から第二掻込装置１２０への動力伝達構造について詳細に説明する。
【００８０】
図５及び図６に示すように、刈取入力軸４１１の左端には、エンジンの動力が入力される入力プーリ４１０が固設され、右端には、ベベルギヤが固設される。縦伝動軸４１２の後端には、このベベルギヤと噛合するベベルギヤが固設される。刈取入力軸４１１の右端が縦伝動軸４１２の後端と連動連結される。縦伝動軸４１２の前端には、ベベルギヤが固設され、このベベルギヤと噛合するベベルギヤが横伝動軸の左右中途部に固設される。縦伝動軸４１２の前端が横伝動軸４１３の左右中途部と連動連結される。
【００８１】
また、縦伝動軸４１２の前部、詳しくは縦伝動軸４１２の前端よりもやや後方の位置に、ベベルギヤが固設され、このベベルギヤを介して中搬送伝動軸４２０の一端（下側）と連動連結される。中搬送伝動軸４２０の長手方向中途部には、第三下部搬送装置２３０の駆動スプロケット２３３が固設される。
【００８２】
そして前述のように、図７に示すように、駆動スプロケット２３３には、従動スプロケット２３２とともに搬送チェン２３１が巻き掛けられる。従動スプロケット２３２は、掻込輪１３１とともに回転軸１６４に固定される。第三掻込装置１３０の右側掻込輪１３１は、第二掻込装置１２０の掻込輪１２１と噛合される。
【００８３】
このような構造によって、エンジンから入力プーリ４１０に伝達された動力は、刈取入力軸４１１、縦伝動軸４１２、中搬送伝動軸４２０、駆動スプロケット２３３、搬送チェン２３１、従動スプロケット２３２、回転軸１６４、掻込輪１３１の順に伝達され、さらに掻込輪１３１から掻込輪１２１に伝達される。
【００８４】
なお、掻込輪１２１が動力の伝達により回転することによって、第二下部搬送装置２２０の駆動スプロケット２２３が回転して、この駆動スプロケット２２３に巻き掛けられた搬送チェン２２１が回転することとなる（図３参照）。
【００８５】
このような構成において、刈取部４は、刈取作業時に前記各装置をエンジンからの動力により駆動して、圃場の穀稈を刈り取りながら取り込む。すなわち、刈取部４においては、圃場の穀稈が分草具３０により一条ごとに分離するように分草された後、分草後の穀稈が引き起こされる。つづいて、掻込装置１００で引起装置４０により引き起こされた穀稈の株元側が掻き込まれる。
【００８６】
詳しくは、第一掻込装置１１０において、掻込輪１１１及び大径プーリ１１５が回転軸１６１回りに図３における矢印方向に回転する。この大径プーリ１１５の回転によって、掻込ベルト１１３が回転する。また、掻込輪１１１の回転によって、この掻込輪１１１と噛合する掻込輪１１２が回転軸１６２回りに図３における矢印方向に回転する。この掻込輪１１２の回転によって、大径プーリ１１７が回転する。そして、大径プーリ１１７の回転によって、掻込ベルト１１４が回転する。これにより、右側２条分の穀稈１７１・１７２の株元側が、掻込輪１１１・１１２及び掻込ベルト１１３・１１４により後方へ向かって掻き込まれる。
【００８７】
第二掻込装置１２０及び第三掻込装置１３０において、掻込輪１３１及び大径プーリ１３５が回転軸１６４回りに図３における矢印方向に回転する。この大径プーリ１３５の回転によって、掻込ベルト１３３が回転する。また、掻込輪１３１の回転によって、この掻込輪１３１と噛合する掻込輪１２１・１３２がそれぞれ回転軸１６３・１６５回りに図３における矢印方向に回転する。この掻込輪１２１の回転によって、大径プーリ１２３が図３における矢印方向に回転する。そして、大径プーリ１２３の回転により、掻込ベルト１２２が回転する。また、掻込輪１３２の回転によって、大径プーリ１３７が回転する。そして、大径プーリ１３７の回転により、掻込ベルト１３４が回転する。これにより、左右中央側３条のうち右側１条分の穀稈１７３の株元側が、掻込輪１２１及び掻込ベルト１２２により後方へ向かって掻き込まれて、左右中央側３条のうち残りの２条分の穀稈１７４・１７５の株元側が、掻込輪１３１・１３２及び掻込ベルト１３３・１３４により後方へ向かって掻き込まれる。
【００８８】
第四掻込装置１４０において、掻込輪１４２及び大径プーリ１４７が回転軸１６７回りに図３における矢印方向に回転する。この大径プーリ１４７の回転により、掻込ベルト１４４が回転する。また、掻込輪１４２の回転によって、この掻込輪１４２と噛合する掻込輪１４１が回転軸１６６回りに図３における矢印方向に回転する。この掻込輪１４１の回転によって、大径プーリ１４５が回転する。そして、大径プーリ１４５の回転によって、掻込ベルト１４３が回転する。これにより、左側２条分の穀稈１７６・１７７の株元側が、掻込輪１４１・１４２及び掻込ベルト１４３・１４４により後方へ向かって掻き込まれる。
【００８９】
そして、切断装置５０により穀稈１７１・１７２、穀稈１７３、穀稈１７４・１７５、穀稈１７６・１７７が株元側で切断される。切断後の各条分の穀稈１７１・１７２、穀稈１７３、穀稈１７４・１７５、穀稈１７６・１７７が、搬送装置６０により途中で合流させられつつ脱穀部５へ向けて搬送される。搬送装置６０においては、まず穀稈１７１・１７２、穀稈１７３、穀稈１７４・１７５、穀稈１７６・１７７の株元側が下部搬送装置２００により搬送され、穂先側が上部搬送装置３００により搬送される。
【００９０】
詳しくは、第三下部搬送装置２３０において、駆動スプロケット２３３の回転によって、搬送チェン２３１が回転する。これにより、第三掻込装置１３０により掻き込まれた２条分の穀稈１７４・１７５の株元側が、斜後上方の合流部１８１まで搬送される。ここで、合流部１８１は、第四下部搬送装置２４０の搬送中途部であって第三下部搬送装置２３０と近接する位置となる。
【００９１】
一方、第三上部搬送装置３３０において、駆動スプロケット３３３の回転によって、搬送チェン３３１が回転する。これにより、第三下部搬送装置２３０により株元側が搬送される２条分の穀稈１７４・１７５の穂先側が、斜後上方の合流部１９１まで係止搬送される。ここで、合流部１９１は、第四上部搬送装置３４０の搬送中途部であって第三上部搬送装置３３０と近接する位置となる。
【００９２】
第四下部搬送装置２４０においては、駆動スプロケット２４３の回転によって、搬送チェン２４１が回転する。これにより、第四掻込装置１４０により掻き込まれた２条分の穀稈１７６・１７７の株元側とともに、合流部１８１で受け継いだ穀稈１７４・１７５の株元側が、斜後上方の合流部１８３まで搬送される。ここで、合流部１８３は、第一下部搬送装置２１０の搬送中途部より下流であって第四下部搬送装置２４０と近接する位置となる。
【００９３】
一方、第四上部搬送装置３４０において、駆動スプロケット３４３の回転によって、搬送チェン３４１が回転する。これにより、第四下部搬送装置２４０により株元側が搬送される２条分の穀稈１７６・１７７の穂先側が、第三上部搬送装置３３０により係止搬送される穀稈１７４・１７５の穂先側と合流して、４条分の穀稈１７４・１７５・１７６・１７７の穂先側が、斜後上方の合流部１９３まで係止搬送される。ここで、合流部１９３は、第一上部搬送装置３１０の搬送中途部より下流であって第四上部搬送装置３４０と近接する位置とされる。
【００９４】
第二下部搬送装置２２０において、駆動スプロケット２２３の回転によって、搬送チェン２２１が回転する。これにより、第二掻込装置１２０により掻き込まれた１条分の穀稈１７３の株元側が、後上方の合流部１８２まで搬送される。ここで、合流部１８２は、第一下部搬送装置２１０の搬送中途部であって第二下部搬送装置２２０と近接する位置となる。
【００９５】
一方、第二上部搬送装置３２０において、第二下部搬送装置２２０により株元側が搬送される１条分の穀稈１７３の穂先側が、後上方の合流部１９２まで係止搬送される。ここで、合流部１９２は、第一上部搬送装置３１０の搬送中途部であって第二上部搬送装置３２０と近接する位置となる。
【００９６】
第一下部搬送装置２１０において、駆動スプロケット２１３の回転によって、搬送チェン２１１が回転する。これにより、第一掻込装置１１０により掻き込まれた２条分の穀稈１７１・１７２の株元側が、斜後上方に搬送され、合流部１８２・１８３で受け継いだ穀稈１７３・１７４・１７５・１７６・１７７の株元側とともに縦搬送装置７０まで搬送される。
【００９７】
一方、第一上部搬送装置３１０において、駆動スプロケット３１３の回転によって、搬送チェン３１１が回転する。これにより、第一下部搬送装置２１０により株元側が搬送される２条分の穀稈１７１・１７２の穂先側が、合流部１９２で受け継いだ穀稈１７３の穂先とともに、３条分の穀稈１７１・１７２・１７３の穂先が斜後上方に係止搬送される。
【００９８】
すなわち、下部搬送装置２００においては、第三下部搬送装置２３０により搬送される穀稈１７４・１７５の株元側が合流部１８１において第四下部搬送装置２４０により搬送される穀稈１７６・１７７の株元側と合流して、搬送中の穀稈１７４・１７５・１７６・１７７が４条分の一つの束となり、この束が合流部１８３まで搬送される。そして、第一下部搬送装置２１０により搬送される穀稈１７１・１７２の株元側が合流部１８２において第二下部搬送装置２２０により搬送される穀稈１７３の株元側と合流して、搬送中の穀稈１７１・１７２・１７３が３条分の一つの束となり、この束が合流部１８３で第四下部搬送装置２４０により搬送される穀稈１７４・１７５・１７６・１７７と合流する。こうして一つの束となった７条分の穀稈１７１・１７２・１７３・１７４・１７５・１７６・１７７の株元側が縦搬送装置７０の搬送始端部に渡される。
【００９９】
上部搬送装置３００においては、第三上部搬送装置３３０により搬送される穀稈１７４・１７５の穂先側が合流部１９１において第四上部搬送装置３４０により搬送される穀稈１７６・１７７の穂先側と合流して、搬送中の穀稈１７４・１７５・１７６・１７７が４条分の一つの束となり、この束が合流部１９３まで搬送される。そして、第一上部搬送装置３１０により搬送される穀稈１７１・１７２の穂先側が合流部１９２において第二上部搬送装置３２０により搬送される穀稈１７３の穂先側と合流して、搬送中の穀稈１７１・１７２・１７３が３条分の一つの束となり、この束が合流部１９３で第四上部搬送装置３４０により搬送される穀稈１７４・１７５・１７６・１７７と合流する。こうして一つの束となったこの７条分の穀稈１７１・１７２・１７３・１７４・１７５・１７６・１７７の穂先側が穂先搬送装置９０の搬送中途部に受け渡される。なお、穂先搬送装置９０の搬送始端部は、合流部１９２の下流であって、第一上部搬送装置３１０の下方に設けられ、第一下部搬送装置２１０で挟持搬送される穀稈を第一上部搬送装置３１０の搬送途中から、第一上部搬送装置３１０とともに係止搬送する。
【０１００】
そして、７条分の穀稈１７１・１７２・１７３・１７４・１７５・１７６・１７７は、その穂先側が穂先搬送装置９０により係止搬送されつつ、その株元側が縦搬送装置７０により挟持搬送され、最後に補助搬送装置８０を介して脱穀部５へ渡される。
【０１０１】
次に、第二上部搬送装置３２０の詳細な構造と、この第二上部搬送装置３２０への動力伝達構造を説明する。図７、図９及び図１０に示すように、第二上部搬送装置３２０には、動力が前記第二掻込装置１２０の掻込輪１２１から伝動装置１５０を介して伝達される。
【０１０２】
伝動装置１５０は、チェン１５１と、駆動スプロケット１５２と、従動スプロケット１５３と、カバー部材１５４とを備える。駆動スプロケット１５２は、掻込輪１２１とともに回転軸１６３に固定される。従動スプロケット１５３は、駆動スプロケット１５２の右斜後方であって、回転軸１６３と平行に延びる回転軸１５５に軸支される。チェン１５１は、駆動スプロケット１５２及び従動スプロケット１５３に巻き掛けられる。
【０１０３】
チェン１５１、駆動スプロケット１５２及び従動スプロケット１５３は、略直方形状のカバー部材１５４によって被覆される。カバー部材１５４の前下部には、回転軸１６３が内挿された円柱状の第一伝動パイプ１５６が突設される。伝動装置１５０は、この第一伝動パイプ１５６を介して第二掻込装置１２０に支持される。また、カバー部材１５４の後上部には、回転軸１５５が内挿された円柱状の第二伝動パイプ１５７が突設される。第二上部搬送装置３２０は、第二伝動パイプ１５７を介して伝動装置１５０に支持される。
【０１０４】
第二上部搬送装置３２０は、回転板３２１と、複数（４つ）のタイン３２２・３２２・３２２・３２２と、上板３２３と、下板３２４と、ガイド部材とを備える。回転板３２１は、略円板形状に形成される。回転軸１５５が、回転板３２１の中心部に挿嵌されて、当該回転板３２１と固定される。回転板３２１の径方向外周端には、回転軸１５５を中心として周方向に所定間隔（略９０°）ごとに略へ字形状のタイン３２２・３２２・３２２・３２２の一端部（基部３２２ａ）が枢支される。各タインの基部３２２ａは、支軸３２２ｂの軸線方向であって、回転板３２１と反対側に突出される。
【０１０５】
上板３２３及び下板３２４は、前記回転板３２１よりも大きい板面を有する板材である。上板３２３は、その板面を回転板３２１の板面に対向させ、側面視において回転板３２１の上方に当該回転板３２１と略平行となるように配置される。下板３２４は、その板面を回転板３２１の板面に対向させ、側面視において回転板３２１の下方に当該回転板３２１と略平行となるように配置される。つまり、上板３２３と下板３２４とが回転軸１５５の軸線方向に所定間隔をとって対向配置され、回転板３２１が上板３２３と下板３２４と間に挟まれて配置される。
【０１０６】
上板３２３及び下板３２４の中心部には、回転軸１５５が挿嵌される。上板３２３及び下板３２４は軸受け等を介して回転軸１５５に軸支される。そして、上板３２３は、ボルトナット３２５等によって下板３２４に締結される。上板３２３及び下板３２４の一部外周端（右側）で内側面には、第一ガイド部材３２６・３２６が、外周形状に沿うように回転板３２１側に向かって突設される。両第一ガイド部材３２６・３２６間の幅は、回転軸１５５の軸線方向において、各タイン３２２の幅よりも大きく設定される。上板３２３及び下板３２４の前記外周端よりもやや内周寄りの内側面には、回転軸１５５を中心ととする略円弧形状の第二ガイド部材３２７・３２７が回転板３２１側に向かって突設される。
【０１０７】
このような構造によって、掻込輪１２１の回転によって、伝動装置１５０の駆動スプロケット１５２が回転して、この駆動スプロケット１５２に巻き掛けられたチェン１５１を介して、従動スプロケット１５３が回転する。そして、この従動スプロケット１５３の回転に伴い、回転板３２１が矢印方向に回転する。この時、回転板３２１に枢支されたタイン３２２は、回転軸１５５を中心として回転して、基部３２２ａが第二ガイド部材３２７・３２７と当接した時には、支軸３２２ｂを中心として回転板３２１の回転方向に回転する。これにより、タイン３２２の先端部３２２ｃが第一ガイド部材３２６・３２６よりも外側方へ突出する。その後、タイン３２２の基部３２２ａが、第一ガイド部材３２６・３２６と第二ガイド部材３２７・３２７との間を移動して、タイン３２２の突出状態が保持される。つまり、タイン３２２は、穀稈の穂先側を係止搬送する。そして、タイン３２２は、基部３２２ａが第二ガイド３２７・３２７と当接していない時には、支軸３２２ｂを中心として回転板３２１の回転方向と反対方向に回転する。これにより、タイン３２２の先端部３２２ｃが第一ガイド部材３２６・３２６よりも内側方に位置して外側方には突出されない。つまり、タイン３２２は、収納される。
【０１０８】
なお、第二上部搬送装置３２０で搬送される穀稈１７３の穂先側を、伝動装置１５０の外縁と当接させて案内しながら、搬送するように構成してもよい。すなわち、伝動装置１５０のカバー部材１５４が搬送される穀稈の案内杆を兼用するように構成してもよい。
【０１０９】
以上のように、本発明の一実施形態に係る７条刈りコンバイン１の刈取部４は、引起装置４０と、掻込装置１００と、切断装置５０と、搬送装置６０とを備えるコンバイン１の刈取部４において、前記掻込装置１００は、左右一対の掻込輪１１１・１１２及び掻込ベルト１１３・１１４で右側２条分の穀稈１７１・１７２を掻き込む第一掻込装置１１０と、単一の掻込輪１２１及び掻込ベルト１２２で左右中央側３条分のうち片側１条分の穀稈１７３を掻き込む第二掻込装置１２０と、左右一対の掻込輪１３１・１３２及び掻込ベルト１３３・１３４で左右中央側３条分のうち残り２条分の穀稈１７４・１７５を掻き込む第三掻込装置１３０と、左右一対の掻込輪１４１・１４２及び掻込ベルト１４３・１４４で左側２条分の穀稈１７６・１７７を掻き込む第四掻込装置１４０と、を備え、前記第二掻込装置１２０の単一の掻込輪１２１と、前記第三掻込装置１３０の掻込輪のうち前記単一の掻込輪と隣り合う掻込輪１３１とを噛合し、前記搬送装置６０は、前記第一掻込装置１１０で掻き込まれた穀稈１７１・１７２の穂先を搬送する第一上部搬送装置３１０と、前記第二掻込装置１２０で掻き込まれた穀稈１７３の穂先を搬送する第二上部搬送装置３２０と、前記第三掻込装置１３０で掻き込まれた穀稈１７４・１７５の穂先を搬送する第三上部搬送装置３３０と、前記第四掻込装置１４０で掻き込まれた穀稈１７６・１７７の穂先を搬送する第四上部搬送装置３４０と、を備え、動力を前記第二上部搬送装置３２０に前記第三掻込装置１３０から前記第二掻込装置１２０を介して伝達するものである。
【０１１０】
これにより、第二上部搬送装置３２０への動力伝達構造が第二掻込装置１２０の上方に設けられることとなる。つまり、従来のように第二上部搬送装置３２０へ動力を伝達するための伝動装置を搬送装置６０により搬送中の各条分の穀稈が合流する合流部近傍、具体的には、下部搬送装置２００により搬送中の穀稈の株元側が合流する合流部１８２近傍や上部搬送装置３００により搬送中の穀稈の穂先が合流する合流部１９２近傍に設けずに済む。したがって、合流部近傍の構造を簡素化して、この合流部近傍での穀稈の詰まりを抑制することができる。また、第二上部搬送装置３２０へ動力伝達構造を簡素化することができる。
【０１１１】
そして、１条分の穀稈１７３の上部を搬送するものであるから第二上部搬送装置３２０を駆動するために必要な動力が少なくてすむ。すなわち、本実施形態のように、掻込輪１３１から掻込輪１２１、伝動装置１５０を介して動力を伝達する構成としても、第二上部搬送装置３２０を十分に駆動することができる。
【０１１２】
また、前記掻込装置１００は、前記第二掻込装置１２０の単一の掻込輪１２１と、この単一の掻込輪１２１と噛合する前記第三掻込装置１３０の掻込輪１３１との厚みを、他の前記掻込輪１１１・１１２・１３２・１４１・１４２の厚みよりも厚く設定するものである。これにより、第二掻込装置の単一の掻込輪と、第三掻込装置の掻込輪との噛合が外れにくくなる。すなわち、掻込装置１００において、第三掻込装置１３０のように一対の掻込輪１３１・１３２がある場合、穀稈を挟持して搬送するとき、一対の掻込輪１３１・１３２には左右対称に歪みが生じて、一方の掻込輪１３１から他方の掻込輪１３２への動力伝達に支障は生じない。一方、第二掻込装置１２０のように単一の掻込輪１２１しかない場合、穀稈を挟持して搬送するとき、単一の掻込輪１２１にも歪みは生じるが、この歪みは噛合する掻込輪１３１に生じた歪みに対応したものになるとは限らず、場合によっては互いの噛合が外れて掻込輪１３１から単一の掻込輪への動力伝達に支障が生じるおそれがあった。しかし、単一の掻込輪１２１と掻込輪１３１とは他の掻込輪１１１・１１２・１３２・１４１・１４２よりも厚みがあるため、互いの噛合が外れにくくなる。したがって、動力を第三掻込装置１３０の掻込輪１３１から第二掻込装置１２０の単一の掻込輪１２１へ確実に伝達することができ、ひいては第二上部搬送装置３２０に第三掻込装置１３０から第二掻込装置１２０を介して確実に伝達することができる。
【０１１３】
また、前記掻込装置１００は、前記第二掻込装置１２０の単一の掻込輪１２１及び前記第三掻込装置１３０の左右一対の掻込輪１３１・１３２を、前記第一掻込装置１１０の左右一対の掻込輪１１１・１１２及び前記第四掻込装置１４０の左右一対の掻込輪１４１・１４１よりも高い位置に配置するものである。これにより、第二掻込装置１２０の単一の掻込輪１２１及び前記第三掻込装置１３０の左右一対の掻込輪１３１・１３２と、第一掻込装置１１０の左右一対の掻込輪１１１・１１２との干渉を避けて、互いの間隔を狭めることができる。また、第二掻込装置１２０の単一の掻込輪１２１及び前記第三掻込装置１３０の左右一対の掻込輪１３１・１３２と、第四掻込装置１４０の左右一対の掻込輪１４１・１４２との干渉を避けて、互いの間隔を狭めることができる。同時に、掻込装置１００では、第二掻込装置１２０の単一の掻込ベルト１２２及び前記第三掻込装置１３０の左右一対の掻込ベルト１３３・１３４が、第一掻込装置１１０の左右一対の掻込ベルト１１３・１１４及び第四掻込装置１４０の左右一対の掻込ベルト１４３・１４４よりも高い位置に配置されることとなる。これにより、前記同様に、第二掻込装置１２０の単一の掻込ベルト１２２及び前記第三掻込装置１３０の左右一対の掻込ベルト１３３・１３４と、第一掻込装置１１０の左右一対の掻込ベルト１１３・１１４との干渉を避けて、互いの間隔を狭めることができる。また、第二掻込装置１２０の単一の掻込ベルト１２２及び前記第三掻込装置１３０の左右一対の掻込ベルト１３３・１３４と、第四掻込装置１４０の左右一対の掻込ベルト１４３・１４４との干渉を避けて、互いの間隔を狭めることができる。したがって、隣り合う掻込装置の間隔を左右方向で狭めて、掻込装置の設置部分ひいては刈取部４をコンパクトに構成できる。
【０１１４】
また、前記第三掻込装置１３０の一方の掻込輪１３１から左右両側に並設された前記第三掻込装置１３０の右側の掻込輪１３２及び前記第二掻込装置１２０の単一の掻込輪１２１に動力が伝達されるように構成される。これにより、動力が掻込輪１３１から当該掻込輪１３１の左右両側に並設された二つの掻込輪１２１・１３２にバランスよく割り振られることとなる。したがって、各掻込輪１２１・１３１・１３２への負荷が分散され、第二掻込装置１２０及び第三掻込装置１３０の故障率を低減することができる。
【０１１５】
また、前記第二掻込装置１２０の掻込輪１２１と前記第三掻込装置１３０の右側掻込輪１３１とを噛合して並設して、掻込輪１２１から伝達される動力によって前記第二下部搬送装置２２０を駆動するように構成される。これにより、従来のように第二下部搬送装置２２０へ動力を伝達するための伝動装置を搬送装置６０により搬送中の各条分の穀稈が合流する合流部近傍、具体的には、下部搬送装置２００により搬送中の穀稈の株元側が合流する合流部１８２近傍や上部搬送装置３００により搬送中の穀稈の穂先が合流する合流部１９２近傍に設けずに済む。したがって、合流部近傍の構造を簡素化して、この合流部近傍での穀稈の詰まりを抑制することができる。また、第二下部搬送装置２２０に動力を伝達する駆動軸等の伝動装置が不要となる。すなわち、第二下部搬送装置２２０への動力伝達構造を簡素化して、部品点数を削減できる。
【０１１６】
なお、掻込装置１００は、本実施形態においては、左右中央側３条分の穀稈を右側１条分と左側２条分とに分けて掻き込み後方に搬送する構成としたが、第二掻込装置１２０と第三掻込装置１３０とを左右逆に入れ替え、第二下部搬送装置２２０と第三下部搬送装置２３０とを左右逆に入れ替え、第二上部搬送装置３２０と第三上部搬送装置３３０とを入れ替えたような構造として、左右中央三条分の穀稈を右側２条分と左側１条分とに分けて掻き込み後方に搬送する構成とすることも可能である。
【０１１７】
なお、左右一対の掻込輪及び掻込ベルトを有する掻込装置を複数並設して偶数条刈り用の刈取部を構成し、この偶数条刈り用の刈取部に単一の掻込輪及び掻込ベルトを有する掻込装置をさらに並設して奇数条刈り用の刈取部を構成する場合は、単一の掻込輪を、左右一対の掻込輪と噛合して構成するだけで、単一の掻込装置への動力伝達機構を容易に構成することができる。さらに、噛合された単一の掻込輪から、単一で掻き込んだ穀稈の株元を搬送する下部搬送装置や穂先を搬送する上部搬送装置に動力を伝達する構成としたときは、これら下部搬送装置及び上部搬送装置への動力伝達構造を簡易なものとすることができる。
【符号の説明】
【０１１８】
１      コンバイン
４      刈取部
１００  掻込装置
１１０  第一掻込装置
１２０  第二掻込装置
１３０  第三掻込装置
１４０  第四掻込装置
２００  下部搬送装置
２１０  第一下部搬送装置
２２０  第二下部搬送装置
２３０  第三下部搬送装置
２４０  第四下部搬送装置
３００  上部搬送装置
３１０  第一上部搬送装置
３２０  第二上部搬送装置
３３０  第三上部搬送装置
３４０  第四上部搬送装置
１１１  掻込輪
１１２  掻込輪
１２１  掻込輪
１３１  掻込輪
１３２  掻込輪
１４１  掻込輪
１４２  掻込輪
１１３  掻込ベルト
１１４  掻込ベルト
１２２  掻込ベルト
１３３  掻込ベルト
１３４  掻込ベルト
１４３  掻込ベルト
１４４  掻込ベルト
【図１】
2011120491.tif 000003
【図２】
2011120491.tif 000004
【図３】
2011120491.tif 000005
【図４】
2011120491.tif 000006
【図５】
2011120491.tif 000007
【図６】
2011120491.tif 000008
【図７】
2011120491.tif 000009
【図８】
2011120491.tif 000010
【図９】
2011120491.tif 000011
【図１０】
2011120491.tif 000012